Podtech/llm-jp-corpus-v4-ja_patent huggingface dataset:
(57)【要約】【課題】従来、金属の切断、折り曲げ、はさむなどの作業を、変形させる物質の硬さ、大きさに応じて、ペンチとラジオペンチを使い分け、それぞれ単体で使われていたので、かさばる上、重量もかさんだ。【解決手段】ペンチとラジオペンチを一体化し、自由に動く共通のハンドルを支点に付け、ハンドル内部の支柱が使用するペンチの逆側のペンチ外側に当たり、それが力点として作用することで、ハンドルの移動だけでペンチとラジオペンチ両方使える工具にする。【選択図】図１
2006212373.tif 000002
【特許請求の範囲】
【請求項１】
従来のペンチとラジオペンチの物を挟んだり、切ったりする部分を左右に付け一体化させ、両者の対角線の交わる支点となる部分に、力点を持ったハンドルを付けて、ハンドルの移動だけで両方使える工具にする。
【発明の詳細な説明】
【技術分野】
【０００１】本発明は、ペンチとラジオペンチの一体化を図った工具に関する。
【背景技術】
【０００２】現在、ペンチとラジオペンチが多くのメーカーより、おのおの単体で発売されている。【０００３】ハンドル部分の付け根にバネを入れ、全開状態を保ち使いやすい商品がある。
【発明の開示】
【発明が解決しようとする課題】
【０００４】ペンチとラジオペンチの用途は、近いようで全く別物である。しかし工作、工事、修理など力のかかる物質の切断、折り曲げ、また力はいらないが細かい小さい物質の切断、折り曲げ、狭い穴などからの部品ピックアップなど、必ず２種類携帯する必要がある。
特にアウトドアでの携帯は、かさばる上、重量もかさむので、これら問題を解決するのが目的である。
【課題を解決する為の手段】
【０００５】ペンチとラジオペンチの作業する部分を一体化し、ハンドルを付けて、それを移動するだけで両方が使えるようにする。
【発明の効果】
【０００６】ペンチとラジオペンチを一体化することで、両方を一つの工具として所有でき、携帯性を格段に向上させ、２種類分の用途での使用を可能にする。
【発明を実施する為の最良の形態】
【０００７】従来のペンチのハンドル部分Ｂ１、Ｂ２をラジオペンチにしてしまい、ペンチとラジオペンチを一体化する。
左右が閉じた状態の時も開いた状態の時も角度が同じくなるように一体化する。
また、ペンチかラジオペンチどちらかにバネＣをいれ常に開こうとする力が発生するようにする。
図２、図３参照
【０００８】一体化したペンチとラジオペンチの対角線の交わる支点Ｅとなる部分に穴を開け、自由性のあるハンドルを取り付ける。
また、ハンドル部分にペンチとラジオペンチの支点Ｅから同距離の外側部分に当たるように支柱Ｄ１、Ｄ２を入れる。
図４、図５参照
【０００９】どちらか一方のハンドルにストラップＦを付け、ペンチとラジオペンチが閉じた状態でストラップをもう一方のハンドルに掛け、保管、収納できるようにする。
図６参照
【図面の簡単な説明】
【００１０】
【図１】完成イメージ
【図２】ペンチとラジオペンチの一体化
【図３】バネによる、ペンチとラジオペンチの全開
【図４】ハンドル部分の上面図
【図５】ハンドル装着図
【図６】ストラップによる収納体型図
【符号の説明】
【００１１】図２より、Ａ１とＡ２はペンチ側で、Ｂ１とＢ２はラジオペンチ側である。
図３より、Ｃは常開させるためのバネである。
図４、図５より、Ｄ１とＤ２は力点に相当する強度のある支柱である。
図５より、Ｅはハンドルをペンチに装着する支点である。
図６より、Ｆは収納時に全閉状態にするためのストラップである。
【図１】
2006212373.tif 000003
【図２】
2006212373.tif 000004
【図３】
2006212373.tif 000005
【図４】
2006212373.tif 000006
【図５】
2006212373.tif 000007
【図６】
2006212373.tif 000008
(57)【要約】      （修正有）【課題】脳の活性化をはかるフラッシュビデオ・フラッシュＤＶＤを提供する。【解決手段】ビデオやＤＶＤに瞬間的に写る画像を複数枚見せて、同時に短い解説（音声）をし、脳の活性化をはかる。画像は、日常生活で学ぶもの、学校生活で学ぶもの、名詞、動詞、手順、数学、形、人物など様々である。速さの好みは選択できるようにする。【選択図】図１
2006212379.tif 000002
【特許請求の範囲】
【請求項１】
ビデオやＤＶＤに瞬間的に写る画像を複数枚見せて、同時に短い解説（音声）をし、脳の活性化をはかろうとするもの。
特に視覚に強い自閉症児にわかりやすく学んでもらう。
【請求項２】
その画像には、日常生活で学ぶもの、学校生活で学ぶもの、名詞、動詞、手順、数字、形、人物など様々ある。
【請求項３】
一分間に何枚見せるか、というスピードが選択できる。
【発明の詳細な説明】
【技術分野】
【０００１】  本発明は、瞬間的に写る映像と解説で、脳の活性化を図るために考えられたものです。子供や、脳の障害といわれている自閉症児に視覚的に訴えるものです。
【背景技術】
【０００２】  従来は、演者が絵カードを一枚ずつめくりながら見せ、同時に解説するもので、スピードが統一されない、めくり方がスムーズでない、カードを落とす、などその演者の技量が問われるものでした。
また、自閉症児にはカードよりも、演者そのものなり、着ている服なり、表情や他に目に入る物のほうが気になり、集中できませんでした。（自閉症児はシングルフォーカス＝一つのものにしか注意が払えない、と言われています。）
【発明の開示】
【発明が解決しようとする課題】
【０００３】  健常児や、特に自閉症児の知力アップをめざす。教えていくべきものを、入りやすい手段で提供できる。
【課題を解決するための手段】
【０００４】同じテンポで、しかも見せようとするもの以外何も写らない画像を見せることで、集中し効果が得られる。
一分間に何枚見せるか？というスピードが選べる。見る側の好みや、レベルアップにも対応可能にした。
【発明の効果】
【０００５】演者の技量に関係ない。失敗がないので、途中で中断されることも無く、画面以外で気が散る事も無い。
【図面の簡単な説明】
【０００６】
【図１】実際に出てくる画像の図です。瞬間的に変わります。同時に解説が音声で流れます。
【図１】
2006212379.tif 000003
(57)【要約】【課題】  スリッパは、履きやすいという利便性があるが、災害等の緊急避難時においては安全性が確保されていないという不都合を解決すること。【解決手段】  スリッパの足両側部ないしかかと部を開閉し、靴状にすることにより、靴履きと同様の安全性と安定性を確保し、脱出後の動作を容易にした。【選択図】  図１
2006212388.tif 000002
【特許請求の範囲】
【請求項１】
スリッパの足両側部ないしかかと部が折り畳まれており、この折り畳み部分を開くことにより、足両側部ないしかかと部が靴状となるスリッパ。
【請求項２】
スリッパの足両側部ないしかかと部が折り畳まれており、この折り畳み部分内部にマジックテープを着けることにより容易に開閉することができる、足両側部ないしかかと部が靴状となるスリッパ。
【請求項３】
スリッパの足両側部ないしかかと部が折り畳まれており、この折り畳み部分内部が糊付けされていることにより緊急時にのみ開閉することができる、足両側部ないしかかと部が靴状となるスリッパ。
【請求項４】
スリッパの足両側部ないしかかと部の折り畳み部分には、若干の伸縮性を持たせた素材を使用し、サイズに幅と余裕を持たせる。
【発明の詳細な説明】
【技術分野】
【０００１】  本発明は、災害時におけるスリッパの役割に関するもので、通常のスリッパとしてのデザイン性や、簡便に脱ぎ履きできるという機能をまったく損なわず、震災や火災等の緊急避難時に屋外に脱出した後、そのまま外履きとしても利用できるようにしたものである。
【背景技術】
【０００２】  スリッパは脱ぎ履きに優れた履物であるが、避難用としては危弱であった。
また、防災に関するスリッパの例として特許文献１や、特許文献２に開示されているものがある。
【特許文献１】  特開平０９−３１３２０２
【特許文献２】  登録実用新案第３０２６３４５号
【発明の開示】
【発明が解決しようとする課題】
【０００３】  災害等の避難時に、スリッパを履いて屋外脱出後、ガラスの破片や、障害物の散乱する路上においてはスリッパ着用だけでは非常に危険である。また、従来の安全バンド等の付いたスリッパにしても足側部やかかと部分については、ほぼむき出しの状態である。本発明はこのような簡便ではあるが安全性に問題のあるスリッパに関して、その安全性を確保することを課題とする。
【課題を解決する手段】
【０００４】  そこで、スリッパに折り畳まれた、足両側部ないしかかと部を開くことによりスリッパが靴状になり、足全体の保護を、靴履きと同様の安全性を持ったしくみのスリッパを発明することにより解決した。
【発明の効果】
【０００５】  本発明の防災スリッパにより、災害等の緊急避難時にスリッパを履いたまま屋外等に脱出したとしても、簡便に靴履と同様の安全性を確保することが可能となる。これは、災害緊急時の所作、作業を容易にし、避難所等への移動などにも大変役立つ機能である。
【発明を実施するための最良の形態】
【０００６】  本発明にかかる防災スリッパは、図２に示すように、足両側部ないしかかと部４が折り畳まれた形状になっていることを特徴とする。【０００７】  そして、図３で示すように、折り畳まれた足両側部ないしかかと部６は、後底部８が前底部７よりも低くなっており、スリッパの足底に段差が出来ないため、剥がれにくく、また違和感なく着用できる。【０００８】また、図４中の後底内部１２には、請求項２及び請求項３に示す、マジックテープあるいは、接着剤で薄く接合させる等の要領で、容易に開閉できない構造にすることも可能である。【０００９】図４に示す、開いた折り畳み部１０は請求項４に示す、伸縮性を持たせた素材を使用し、サイズと幅に余裕を持たせることが望ましい。
【産業上の利用可能性】
【０００１０】  本発明にかかるスリッパは、工業的に量産することが可能であり、一般家庭はもとより、病室、ホテル、旅館等でも災害対策用グッズとして幅広い産業上の利用可能性を有する。【０００１１】また、デザイン上も従来のスリッパと同一作が製作可能なため、新たなスタンダードとして広く普及させることが可能である。
【図面の簡単な説明】
【０００１２】
【図１】防災スリッパ本体の体躯を表し、図３の断面図の切断面を一点鎖線で示している。
【図２】本防災スリッパの外部側面図である。
【図３】本防災スリッパの折り畳まれた、足両側部ないしかかと部を示す断面図である。
【図４】最大の特徴である、緊急避難時に足両側部ないしかかと部を開いた状態の本防災スリッパの側面図である。
【符号の説明】
【０００１３】４    足両側部ないしかかと部
６    折り畳まれた足両側部ないしかかと部
７    前底部
８    後底部
１０  開いた折り畳み部
１２  後底内部
【図１】
2006212388.tif 000003
【図２】
2006212388.tif 000004
【図３】
2006212388.tif 000005
【図４】
2006212388.tif 000006
(57)【要約】【課題】本発明は、シリンジをシリンジポンプにセットするときに指定位置に正確にセットできる機能を設けたシリンジポンプに関するものである。【解決手段】シリンジポンプ１にシリンジ台Ｂ３より高さの高いシリンジ台Ｃ４を設ける。【選択図】図３
2006212384.tif 000002
【特許請求の範囲】
【請求項１】
（イ）シリンジポンプ１にシリンジ台Ｂ３より高さの高いシリンジ台Ｃ４を設ける。
以上の如く構成された、シリンジが指定位置に正確にセットできるシリンジポンプ。
【発明の詳細な説明】
【技術分野】
【０００１】  本発明は、シリンジをシリンジポンプにセットするときに指定位置に正確にセットできる機能を設けたシリンジポンプに関するものである。
【背景技術】
【０００２】  シリンジポンプは、微量投与で効き目がある薬液を持続的注入に用いられることが多い。
従来から、薬液を充填したシリンジをシリンジポンプの所定の位置にマウントして、所望する投与速度（流量）を設定して静脈投与を行っている。
シリンジポンプはその性格上患者の近くに置かれるが、ポンプ操作は看護師など医療従事者が行なうため、患者より高い位置にセッテングされることが大半である。
近年、シリンジポンプの使用頻度の上昇とともに、シリンジポンプ特有のサイフォニング現象による急速注入事故例が増えてきた。
サイフォニング現象とは、シリンジに薬液が充填された状態で、シリンジプッシャー部がシリンジポンプの押し子のフォークに固定されていないとき、注入回路により落差が生じていれば、その落差だけでシリンジ内の薬液が一気に注入されてしまう現象であり、患者の生命を脅かすことになる。
これらの安全対策として、シリンジプッシャー部が押し子の所定の位置にセッテングされていないときは、シリンジポンプが起動してはならないという機能を搭載しなければならないとなった。これを受けて、各シリンジポンプ製造元では、シリンジプッシャー部がシリンジポンプの押し子のフォークに固定されていないときポンプが動作しないような対策をとった。
【発明の開示】
【発明が解決しようとする課題】
【０００３】  しかし、注入回路接続先によっては負圧回路に接続される場合があり、シリンジプランジャー部とシリンジツバを所定の溝へセットしなければ、陰圧により、シリンジプランジャー部が押し子へ引き寄せられる現象が発生する。使用条件にもよるが、シリンジポンプと患者間の落差が大きい場合は、サイフォニング現象でシリンジ内に発生する陰圧により、シリンジプランジャー部が押し子部へ引き寄せられる現象が発生する。言い換えれば、シリンジ台Ａ、Ｂ、Ｃが同一の高さであるためにシリンジを正しい位置にセットしなくても動作してしまう。
本発明は、以上のような欠点をなくすためになされたものである。
【課題を解決するための手段】
【０００４】  いま、その構成を説明すると、
（イ）シリンジポンプ１にシリンジ台Ｂ３より高さの高いシリンジ台Ｃ４を設ける。
以上のように装置する。
【発明を実施するための最良の形態】
【０００５】  次に本発明の実施の形態を述べると、シリンジプランジャー部７とシリンジツバ８を所定のシリンジツバ溝６へセットしなければ、ポンプを動作させないように、シリンジを置くレベルより少し高くしたシリンジ台Ｃ４を設けることにより、正しくセットしない限り、シリンジ検出ができずポンプが動作しない。
【発明の効果】
【０００６】  したがって、従来はシリンジ台Ｃ４の外側に容易にセットができたが、このシリンジ台Ｃ４を設けることにより、ガイドの外側にセットすればシリンジが斜めに持ち上がり、押し子１０にシリンジプッシャー部９をセットできない。また、シリンジ台Ｃ４より内側にセットしようとしてもシリンジツバ８が邪魔になりセットできない。ツバを正しくシリンジツバ溝６にセットができて初めてシリンジプッシャー部９が押し子１０のフォーク１１に収まる。
【図面の簡単な説明】
【０００７】
【図１】シリンジポンプの正面図
【図２】シリンジポンプの上面図
【図３】本発明のＡ−Ａ’断面図
【図４】従来のシリンジポンプのＡ−Ａ’断面図
【図５】本発明のＡ−Ａ’断面に指定の位置にシリンジをのせた図
【図６】従来のシリンジポンプのＡ−Ａ’断面に指定の位置にシリンジをのせた図
【図７】本発明のＡ−Ａ’断面に指定以外の位置にシリンジをのせた図
【図８】従来のシリンジポンプのＡ−Ａ’断面に指定以外の位置にシリンジをのせた図
【符号の説明】
【０００８】１はシリンジポンプ
２はシリンジ台Ａ
３はシリンジ台Ｂ
４はシリンジ台Ｃ
５はシリンジ押さえ
６はシリンジツバ溝
７はシリンジプランジャー部
８はシリンジツバ
９はシリンジプッシャー部
１０は押し子
１１はフォーク
【図１】
2006212384.tif 000003
【図２】
2006212384.tif 000004
【図３】
2006212384.tif 000005
【図４】
2006212384.tif 000006
【図５】
2006212384.tif 000007
【図６】
2006212384.tif 000008
【図７】
2006212384.tif 000009
【図８】
2006212384.tif 000010
(57)【要約】【課題】本発明は、注入回路内の微少な圧力変化を検知する機能を設けたシリンジポンプに関するものである。【解決手段】シリンジポンプ１に小径シリンジ６、圧力センサー７を装備し、注入回路１４でシリンジ２と小径シリンジ６を接続する。【選択図】図１
2006212385.tif 000002
【特許請求の範囲】
【請求項１】
（イ）シリンジポンプ１に小径シリンジ６を設ける。
（ロ）シリンジポンプ１に圧力センサー７を設ける。
（ハ）シリンジ２と小径シリンジ６を接続する注入回路１４を設ける。
（ニ）シリンジポンプ１に圧力センサー７からのデータを受け取るプログラムＩＣ８を設ける。
（ホ）シリンジポンプ１の内部に圧力センサー７とプログラムＩＣ８をつなぐ圧力データ信号線１２を設ける。
以上の如く構成された、微少な閉塞圧検出機能付きシリンジポンプ。
【発明の詳細な説明】
【技術分野】
【０００１】  本発明は、注入回路内の微少な圧力変化を検知する機能を設けたシリンジポンプに関するものである。
【背景技術】
【０００２】  従来、シリンジポンプにおける閉塞圧検出は、シリンジ押し子を押す力を計測して、シリンジ断面積と力から求められる圧力値をもって、シリンジ内圧とほぼ同じという観点から間接的な値を閉塞圧として検出してた。
【発明の開示】
【発明が解決しようとする課題】
【０００３】  シリンジポンプの主な用途は、高圧注入や微少な薬剤を注入することに用いられる。血管作動薬などは微量の変化でも患者のバイタルが変化することが知られている。これらのことから現在の輸液における閉塞警報は、ノンフローを如何に早く検出するかに主旨が変わってきている。
また、注入回路の途中で何らかの要因で閉塞が発生した場合、閉塞検出に必要な内圧上昇までの未注入残液によって発生した圧力は、シリンジガスケットへの圧縮歪みとして残り、不用意に閉塞部を解除すれば未注入の薬液が一気に吐出される。血管作動薬であれば、患者の生命を脅かす量に達する場合も有り得るので大変危険である。検出圧が高ければ高い程、閉塞時の危険が増すことになるので、閉塞検出値は低い値に設定すれば安全性が高くなる。
従来の技術の欠点は、ガスケットの摺動抵抗や閉塞時のガスケット歪み抵抗とかでバラつきが発生し、微少な圧力ではガスケット摺動抵抗力の方が内圧反力より高い場合もあり、このため、低いシリンジ内圧は検出しにくく、設定したとしてもガスケット摺動抵抗による誤動作が発生しやすかった。
本発明は、以上のような欠点をなくすためになされたものである。
【課題を解決するための手段】
【０００４】  いま、その構成を説明すると、
（イ）シリンジポンプ１に小径シリンジ６を設ける。
（ロ）シリンジポンプ１に圧力センサー７を設ける。
（ハ）シリンジ２と小径シリンジ６を接続する注入回路１４を設ける。
（ニ）シリンジポンプ１に圧力センサー７からのデータを受け取るプログラムＩＣ８を設ける。
（ホ）シリンジポンプ１の内部に圧力センサー７とプログラムＩＣ８をつなぐ圧力データ信号線１２を設ける。
以上のように装置する。
【発明を実施するための最良の形態】
【０００５】  次に本発明の実施の形態を述べると、シリンジ２に注入回路１４を接続し、小径シリンジ６をつなぐ。後は通常使用するようにシリンジポンプを動作させ、閉塞が注入回路内で発生した場合、注入回路内の圧力が小径シリンジ６の内部に伝わり、プランジャー１７が圧力センサー７を押し、圧力が検出できる。
つまり、通常シリンジポンプに使用されるシリンジサイズは１０ｍＬ、２０ｍＬ、３０ｍＬ、５０ｍＬであるが、輸液回路から分岐し、別のシリンジへ圧力を導き、そのシリンジの押し子に伝わってくる注入回路内圧を測定すれば、従来と同じ回路でシリンジ内圧を測定できる。この時、分岐側のシリンジは極力断面積の小さなシリンジを用いれば、注入回路内の圧力が押し子によく伝わることになる。
これは、「密閉した容器中の流体の一点の圧力を増すと、流体内の全ての点の圧力が同じだけ増す」という「パスカルの原理」から、薬液の入ったシリンジ内圧力と分岐側のシリンジ内に伝わる圧力は断面積に比例するが、単位面積では同じ圧力である。また、分岐側に伝わった圧力はガスケットの摺動抵抗分のみロスされるが、断面積が小さなシリンジを使用すれば、従来のシリンジ内圧検出方法より精度よく検出できることになる。
【発明の効果】
【０００６】  したがって、分岐側に使用する小径シリンジは市販品でよく、組み立てる注入回路も特別なものは必要ないため専用回路を新たに作るより、ランニングコスト上昇は極僅かで済み、微少な圧力でも安定的に検出できるため、閉塞発生時のボーラス量が抑えられることと、閉塞検出までの時間が早くなるために、治療効果の安定が見込める。
【図面の簡単な説明】
【０００７】
【図１】    本発明のブロック図
【符号の説明】
【０００８】  １はシリンジポンプ
２はシリンジ
３は押し子
４は送りネジ
５はモーター
６は小径シリンジ
７は圧力センサー
８はプログラムＩＣ
９は開始スイッチ
１０は停止スイッチ
１１はモーター制御信号線
１２は圧力センサーからの圧力データ信号線
１３はスイッチ信号線
１４は注入回路
１５は三方活栓
１６は患者
１７はプランジャー
【図１】
2006212385.tif 000003
(57)【要約】【課題】  ソファや椅子等の前に配置するセンターテーブル、座卓類の家具において、ソファに座りながら疲れたり腰を傷めたりすることなく、デスクワークを楽にできる人間工学的に優れたリフトアップテーブルを提供する。【解決手段】  家具本体（２）と天板（１）との間に、アームＡ（４）、アームＢ（５）からなる斜め上方への昇降機能を設ける。２本のアームは、軸Ａ（６）、軸Ｂ（７）、軸Ｃ（８）、軸Ｄ（９）によって、天板への取付器具（３）と本体への取付器具（１４）へ取り付ける。アームＢ（５）は、Ｌ字形状のアームであり、本体への取付器具（１４）と、スプリング（１２）によって連結する。また、アーム止め（１３）の位置によって、天板の高さを調整できるように構成した。【選択図】  図１
2006212390.tif 000002
【特許請求の範囲】
【請求項１】
ソファや椅子等の前に配置するセンターテーブル、座卓類の家具本体（２）に、斜め上方へ昇降する天板（１）を設けたリフトアップテーブル。
【発明の詳細な説明】
【技術分野】
【０００１】  本発明は、センターテーブル、座卓類の家具に、昇降可能な天板を取り付け、斜め上方へ持ち上げるための、リフトアップテーブルに関するものである。
【背景技術】
【０００２】  従来のセンターテーブル類の家具は、天板の上下昇降のみであった。
【発明の開示】
【発明が解決しようとする課題】
【０００３】  これは次のような欠点があった。
（１）センターテーブル、座卓類の家具は、ソファや椅子等の前に配置した際、天板までの高さが、座面の位置ぐらいまでしかなく、ソファに座った状態では、天板で作業を行う場合、前屈みになるしかなく使用に不便だった。
（２）天板の上下昇降が可能な家具においても、ソファに座った状態では、足の分だけ家具との距離が開くため、前傾姿勢となり、天板で行う作業が不便だった。
本発明は、以上のような欠点をなくすためになされたものである。
【課題を解決するための手段】
【０００４】  ソファや椅子等の前に配置するセンターテーブル、座卓類の家具本体（２）に、斜め上方へ昇降する天板（１）を設けた。
本発明は、以上の構成よりなるリフトアップテーブルである。
【発明の効果】
【０００５】  ソファや椅子等に座った姿勢でも、天板での作業が楽な姿勢で行え、きわめて便利である。また、不意に天板にぶつかった際もスプリングの弾性力によって、天板が急に倒れることを防ぎ、安全性も確保している。
【発明を実施するための最良の形態】
【０００６】  以下、本発明の実施の形態について説明する。
家具本体（２）と天板（１）との間に、アームＡ（４）、アームＢ（５）からなる斜め上方への昇降機能を設ける。天板への取付器具（３）へは、アームＡ（４）は、軸Ａ（６）によって、アームＢは軸Ｂ（７）によって取り付ける。本体への取付器具（１４）へは、アームＡ（４）は、軸Ｃ（８）によって、アームＢ（５）は軸Ｄ（９）によって取り付ける。アームＢ（５）の軸Ｂ（７）と軸Ｄ（９）を、アームＡ（４）の軸Ａ（６）と軸Ｃ（８）より低い位置に取り付けることによって、スムーズな昇降を可能とする。アームＢ（５）は、Ｌ字形状のアームであり、スプリング固定Ａ（１０）は、本体への取付器具（１４）の持つスプリング固定Ｂ（１１）と、スプリング（１２）によって連結する。天板（１）の重さと、スプリング（１２）の弾性力は、天板（１）を下げている途中の状態で、天板（１）から手を離してもその場で止まるバランスに設定する。アーム止め（１３）の位置によって、天板の高さを調整する。アーム止め（１３）は、アームＡ（４）、アームＢ（５）のどちらを止めてもかまわないものとする。この機構を天板（１）の左右に配置することによって、また、左右の機構を棒で連結することによって剛性を高める。
本発明は以上のような構造で、これを使用するときは、天板（１）の正面前側部を掴み、斜め上方へ持ち上げ、アーム止め（１３）によって固定された位置で使用する。
その結果、ソファや椅子等に座った姿勢でも、天板での作業が楽な姿勢で行うことができ、また、不意に天板にぶつかった際もスプリングの弾性力によって、天板が急に倒れることを防げ、安全性を確保できる。
【図面の簡単な説明】
【０００７】
【図１】本発明の側面図である。
【図２】本発明の機構部分を示した側面図である。
【符号の説明】
１    天板
２    家具本体
３    天板への取付器具
４    アームＡ
５    アームＢ
６    軸Ａ
７    軸Ｂ
８    軸Ｃ
９    軸Ｄ
１０  スプリング固定Ａ
１１  スプリング固定Ｂ
１２  スプリング
１３  アーム止め
１４  本体への取付器具
１５  キャスター
【図１】
2006212390.tif 000003
【図２】
2006212390.tif 000004
(57)【要約】      （修正有）【課題】  本発明はリストバンドに筒状（袋状）のカバーを取り付け、防犯ブザーを収納できる様に工夫した、携帯用防犯警報機カバー付きリストバンドを提供する。【解決手段】  リストバンド本体１に筒状の防犯ブザーカバー３を取り付け、防犯ブザーが収納できるようにした携帯用防犯警報機カバー付きリストバンド。【選択図】図１
2006212382.tif 000002
【特許請求の範囲】
【請求項１】
リストバンドに筒状のカバーを取り付け、防犯ブザーが収納できることを特徴とする携帯用防犯警報機カバー付きリストバンド。
【発明の詳細な説明】
【技術分野】
【０００１】  本発明はリストバンドに筒状（袋状）のカバーを取り付け、防犯ブザーを収納できる様に工夫した、携帯用防犯警報機カバー付きリストバンドに関するものである。
【背景技術】
【０００２】  従来の防犯ブザー収納カバーは、首からぶら下げるか、カバンに取り付けられるようにヒモを取り付けて使用するものが多かった。
【発明の開示】
【発明が解決しようとする課題】
【０００３】（イ）安定感がなく、常に身に着けて歩くには目立ち過ぎて邪魔になっていた。
（ロ）その度、持ち歩くカバンや袋に付け替える煩わしさがあった。
（ハ）咄嗟の危険時にすぐに防犯ブザーの本体が掴みづらく、使用しずらかった。
本発明は以上の様な欠点をなくすためになされたものである。
【課題を解決するための手段】
【０００４】  リストバンドに筒状（袋状）のカバーを取り付け、防犯ブザーが収納できる様にする。
以上の様に構成された携帯用防犯警報機カバー付きリストバンドである。
【発明の効果】
【０００５】  収縮性があるのでサイズも幅広く使え、着脱もしやすく、本体を取り外せば洗濯することもできるので、常に清潔に使用できる。
すべりづらいので本体が簡単に飛び出さない。
蛍光性のある素材を付けることにより、安全性にもつながり、老若男女、幼児だけでなく誰でも外出時の必需品として気軽に持ち歩ける。
手首に取り付けることで、咄嗟の対応に効果絶大である。
【発明を実施するための最良の形態】
【０００６】  以下、本発明の実施の形態について説明する。
（イ）リストバンド本体（１）の上部に防犯ブザーが収納できる様に蛍光体（２）を張り  付けた筒状（袋状）のカバー（３）を取り付ける。
蛍光体（２）の形状については、特に限定はしないが、使う対象者によって、ハート  の形や星型にしても良い。
（ロ）防犯ブザーの引き手が邪魔にならないように、リストバンドの本体（１）に止め具  （４）を取り付ける。
本発明は以上の様な構成で、防犯ブザーが収納できる様に筒状（袋状）のカバーをリストバンドに取り付けることにより、安定感があり、常に手元に在る事で咄嗟の危険時に使用しやすい。
その他、次のような特徴がある。
（イ）防犯ブザーが直接目にふれて目立ち過ぎないよう、収納できるカバーをリストバン  ドに取り付けた。
（ロ）夜道でもライトが当たると光って目立つように蛍光性のあるものを取り付けた。
（ハ）付け替える煩わしさを無くし、常に身に着けられるよう、リストバンドを利用した  。
（ニ）手首に着けることで安定感を持たせ、咄嗟の危険時に即応できるようにした。
【図面の簡単な説明】
【０００７】
【図１】  本発明の斜視図である。
【図２】  本発明の平面図である。
【図３】  本発明の側面図である。
【図４】  本発明の正面図である。
【図５】  本発明の底面図である。
【符号の説明】
【０００８】１  リストバンド本体
２  蛍光体
３  防犯ブザーカバー
４  止め具
【図１】
2006212382.tif 000003
【図２】
2006212382.tif 000004
【図３】
2006212382.tif 000005
【図４】
2006212382.tif 000006
【図５】
2006212382.tif 000007
(57)【要約】【課題】  まな板と包丁によって野菜果物等を料理する際に安全と料理によってはキメ細かな細工が要求されている。【解決手段】  上記の課題を解決するために，本発明はまな板（１）の中央付近に磁石（２）をまな板（１）に直角に設置して包丁のガイドとし，任意の幅がとれる幅とり板（３）を設置してキメ細かな細工が出来る如く構成したものである。【選択図】    図１
2006212381.tif 000002
【特許請求の範囲】
【請求項１】
包丁のガイドとしてまな板（１）に磁石（２）と，任意の幅が取れる幅とり板（３）を図１に見るごとく設置した，まな板。
【発明の詳細な説明】
【技術分野】
【０００１】本発明は，まな板に包丁のガイドとして磁石を設置して包丁の安全と幅とり板を設置してキメ細かな包丁さばきを要求したものである。
【背景技術】
【０００２】
【発明の開示】
【発明が解決しようとする課題】
【０００３】本発明によって解決しようとする課題は包丁による安全を第一とし，次に，比較的技術を要求される野菜等の薄切り，寸法切り等を容易にせんとするものである。
【課題を解決するための手段】
【０００４】上記の課題を解決する為に，まな板（１）の中央付近に磁石（２）を直角に設置し，任意の幅がとれる幅とり板（３）を図１に見る如く設置する。
【発明の効果】
【０００５】  上記の如く構成する事により包丁が磁石（２）の側面に密着した状態で上下動を行う為，極めて安全である。幅とり板（３）の設置によりキメ細かな包丁さばきが可能である
【発明を実施するための最良の形態】
【０００６】  本発明を実施するためには，まな板（１）の中央付近に磁石（２）と任意の幅がとれる幅とり板（３）をを図３に見るごとく設置し，目的により蝶ねじ（５）を回して幅を設定して実施するものである。
【実施例１】
【０００７】  本発明にてキャベツの千切りを行う場合においては幅とり板（３）の蝶ねじ（５）を回して磁石（２）の側面から約２ミリ離れた位置に幅とり板（３）を設置し幅とり板（３）の反対側よりキャベツを挿入しキャベツの先端を幅とり板（３）の先端に当て，包丁を磁石（２）の側面に沿って上下に動かし，キャベツを切れた分次々と押し込んで均等な千切りを容易に作る事が可能である。
【実施例２】
【０００８】  大根，その他の野菜において輪切り等行う場合においては，それぞれの希望する幅に幅とり板（３）を移動させて，実施例１の要領によって目的の製品をきれいに早く作る事が可能である。
【図面の簡単な説明】
【０００９】
【図１】斜視図
【００１０】
【図２】平面図
【００１１】
【図３】側面図
【符号の説明】
【００１２】  １      まな板
２      磁石
３      幅とり板
４      もくねじ
５      蝶ねじ
６      幅とり板ガイド
【図１】
2006212381.tif 000003
【図２】
2006212381.tif 000004
【図３】
2006212381.tif 000005
【手続補正書】
【提出日】平成17年2月21日(2005.2.21)
【手続補正１】
【補正対象書類名】明細書
【補正対象項目名】０００４
【補正方法】変更
【補正の内容】
【０００４】上記の課題を解決する為に，まな板（１）の中央付近に磁石（２）の包丁ガイド面をまな板（１）に対して角度９０°〜１２０°の範囲にて設置し，任意の幅がとれる幅とり板（３）を図１に見る如く設置する。
(57)【要約】【課題】  電車の中などにおいて座席で本、参考書を開く、資料等を作成するときに、また、スケッチブックに書くときなどひざの上では不安定のため、安定させる。【解決手段】  一枚の板の表に本などが、ずれてこない様に折りたたみストッパー２を付け、裏には、角度の調整できる、折りたたみ式のステップ５をつけることでひざの上で簡単な台ができ、容易に本や参考書が見ることができ、字も書ける。  机の上でも台を使って、本に角度を付けてみると、楽に見ることが出来る。【選択図】  図１
2006212400.tif 000002
【特許請求の範囲】
【請求項１】
一枚の板に表に折りたたみ式ストッパー、裏に折りたたみ式及び角度調整付きのステップをつけた携帯便利卓。
【発明の詳細な説明】
【技術分野】
【０００１】  本発明は、机がない場所などにおいて、ひざの上で本や参考図書を開いたり、資料作成の時等に、台にすることで、安定して見たり、書いたりできる。
【発明の開示】
【発明が解決しようとする課題】
【０００２】  通勤等の電車の中で椅子に座り、本や参考図書を開いたり、資料を作成している光景を目にする、実に不安定な姿勢でひざの上で開いたり、資料等を作成している。【０００３】  また、机の上などに置いて本や参考図書を広げると、机の上では直に置くと見えにくい。
【発明の効果】
【０００４】  この発明の携帯便利卓を使うと角度の調整も自由にできることで、個々に合った姿勢で安定し、見やすく書きやすい台になる。【０００５】  本発明は、折りたたみができるので、鞄に収まり、通勤などで、持ち運べ、何時でも、どこでも容易に安定した携帯便利卓として使える。
【発明を実施するための最良の形態】
【０００６】  図１は、携帯便利卓の斜視図を表したもの、１の板は硬質プラスチック製又は硬質紙で曲がらない厚さで加工する。【０００７】  ストッパー２は本のずれを防ぐためである、材料は硬質針金を２のように加工し、板に対し直に止まるようにする、使わないときは、板に倒せる様にしておく。【０００８】  ストッパー２の止め金具３はブリキを加工し板にビス４で４ヵ所止める。【０００９】  図３は、裏面を表した物で、板をひざの上に置ぐ場合ステップ５を起こして板に角度を与えて見やすくする。【００１０】  ステップ５は硬質針金で加工する。【００１１】  ステップ５の止め金具６はステップ５が台に対し角度調整が出来るように取り付ける金具６をビス４で４ヵ所止める。【００１２】  取り付け金具６は図１０拡大図のように刻みをいれ、ステップ５の金具が元の形に戻ろうとする力を利用して希望の角度に止まるようにする。
【図面の簡単な説明】
【００１３】
【図１】  携帯ブック置きの斜視図を表したもので板１、ストッパー２を立て、ステップ５を開いて使用している状態である。
【図２】  平面図をあらわしたものでストッパー２は立ててある。
【図３】  裏面図でステップ５をたたんでいる状態である。
【図４】  裏面図でステップ５を開いている状態である。
【図５】  左側面図でストッパー２、ステップ５部分を開いている状態である。
【図６】  右側面図でストッパー２、ステップ５部分を開いている状態である。
【図７】  左側面図でストッパー２、ステップ５部分をたたんでいる状態であり、持ち運ぶ時の状態である。
【図８】  背面図でストッパー２、ステップ５部分を開いている状態である。
【図９】  背面図でストッパー、ステップ部分はたたんでいる状態であり、持ち運ぶ時の状態である。
【図１０】  裏面図の拡大図でステップ部分の角度調整金具部分である。
【図１１】  左側面図の拡大図でステップ部分の角度調整金具部分である。
【符号の説明】
【００１５】  １  卓上台（硬質プラスチック又は硬質紙）
２  ストッパー（硬質針金））
３  ストッパー止め金具
４  ビス
５  ステップ
６  ステップ止め金具
７  ひざ、机などの台部分
【図１】
2006212400.tif 000003
【図２】
2006212400.tif 000004
【図３】
2006212400.tif 000005
【図４】
2006212400.tif 000006
【図５】
2006212400.tif 000007
【図６】
2006212400.tif 000008
【図７】
2006212400.tif 000009
【図８】
2006212400.tif 000010
【図９】
2006212400.tif 000011
【図１０】
2006212400.tif 000012
【図１１】
2006212400.tif 000013
(57)【要約】【課題】入浴中にリラックスして読書をするための浮き台による浴用読書台を提供する。【解決手段】  浮き台〈１〉にシート〈４〉と土手〈２〉と傾斜面〈３〉を設け設けマシックテープ〈５〉〈５〉とページ押さえ〈６〉〈６〉を設けた浴用読書台。【選択図】  図２
2006212394.tif 000002
【特許請求の範囲】
【請求項１】
浮き台〈１〉に土手〈２〉と傾斜面〈３〉〉を設けた浴用読書台。
【請求項２】
浮き台〈１〉にシート〈４〉とマジックテープ〈５〉〈５〉とページ押さえ〈６〉〈６〉を設けた浴用読書台。
【発明の詳細な説明】
【技術分野】
【０００１】  この発明は、半身浴等をするときに、湯に浮かべて使用する浮き台からなる浴用読書台に関するものである。
【背景技術】
【０００２】  従来より浴槽のヘリの片方に取り付けたものや、浴槽のヘリとヘリに橋渡しをした読書台があった。
【発明の開示】
【発明が解決しようとする課題】
【０００３】  これは次のような欠点があった。
浴槽のヘリの高さに設置すると利用時に上向き状態が続いて首が疲れる事があった。また、ヘリの横に設置すると体と首がねじれて疲れることがあった。また、ページ押さえや、ページめくりの為に手を濡らさない様に手をヘリの高さに挙げていることが多くリラックスが出来にくかった。本発明は、以上の欠点を解決するためになされたものである。
【課題を解決するための手段】
【０００４】  シート〈４〉に凹み部〈７〉を設け、凹み部〈７〉の前面に土手〈２〉を設け後面に傾斜面〈３〉を設ける。シート〈４〉の左右にマジツクテープ〈５〉〈５〉をとりつける。ページ押さえ〈６〉〈６〉は本のサイズによりマジックテープ〈５〉〈５〉の上にくっつけ、頁が見開きになるように頁端に荷重する。手置きスペース〈８〉を設け、手が滑らないように滑り止め〈９〉を設ける。以上からなるシート〈４〉を、空気の入った浮き台〈１〉の表面に張着する。本発明は、以上の構成よりなる浴用読書台である。
【発明の効果】
【０００５】  本発明を使用することによりややうつむき加減の楽な自然体で読書を楽しむ事が出来る。また、凹みに本の重心がかかり、円形の傾斜部はすべてストッパーとなり、本の落下の心配がなく非常に安定した読書台となっている。また、読んでいる頁はページ押さえにより、いつでも見開き状態を保つことが出来る。また、本のサイズに対応出来るページ押さえにより手がフリーとなる。その手を手置き場スペースにひじから乗せるとゆったりとリラツクス出来る。本と体を預けられてしかも素肌への当たりがとても優しいものである。また、本の角度がより欲しいときには、浮力の作用によりほんの少し手で加重すると思いのままの角度が得られる。また、出入りの際にはそのまま向こうに押して浮かしておいてもよく、邪魔になるようであれば軽いのでひょいと抱え上げて、浴槽のコーナーや風呂フタの上などに仮りおき移動できる。本は見開きのままなのでまた続きを読むことができる。また、空気をぬけば折り畳んで持ち運びでき、机上においても心地よい読書台として同じ様にして利用できる。ストレスの多い今日にあって、温泉ブームでも分かるように入浴はいまや健康のため、ダイエットのため、ストレス解消のためにと、ゆっくり半身欲をしながら読書をする人も多い。それらの人に広く提供することができるものである。
【発明を実施するための最良の形態】
【０００６】以下、本発明を実施するための最良の形態について説明する。
〈イ〉防水性を有したシート〈４〉は中央部より手前、本の重心が一番かかる位置に凹み部〈７〉を設ける。これは、前面に本ストッパーの土手〈２〉を形成し、後面に本の角度を得るための傾斜面〈３〉形成するために設けたものである。
〈ロ〉シート〈１〉の左右の端から中心に向かって大小の本サイズに対応できるように長めにマジツクテープ〈５〉〈５〉を取り付ける。
〈ハ〉ものの形をしたページ押さえ〈６〉〈６〉は中に重りを入れたものであり、裏にマジックテープをとりつけてある。本のサイズにより自在に動かしてマジックテープ〈５〉〈５〉の上にくっつけ頁が見開きになるように頁端に荷重をする。〈ニ〉両腕の肘を重ねて預けられるような手置きスペース〈８〉を設け、濡れた手が滑らないように滑り止め〈９〉を設ける。
〈ホ〉以上からなるシート〈４〉を、人が入浴できる湯の温度に対応できる耐熱素材で作られた、ドーナツ状の空気袋からなる浮き台〈１〉の表面に張着する。
本発明は、以上の構成よりなる浴用読書台である。
これを使用するときは、浴用読書台の上に読む本を設置する。本の重心が凹み部〈７〉にかかって、前面の本ストッパーの土手〈２〉により本を止め、傾斜面〈３〉に本を立て掛ける。本の頁を見開きにしてページ押さえ〈６〉〈６〉を、本のサイズに応じた位置に動かして本の両頁端に乗せて、下のマジックテープ〈５〉〈５〉の上にくっつけて置く。浴槽に入り、本を乗せた空気袋の浮き台〈１〉からなる軽い浴用読書台を抱えてそっと湯に浮かべる。手が濡れない様に手置きスペース〈８〉〈８〉に手を乗せたり、肘をついてほほ杖をしたりして体を預けリラックスしながら読書をする。また、浮力により、ほんの少し手に加重するだけで本の角度が思いのままに得られる。なお、本考案の実施にあたって次のことができる。
実施例〈イ〉図３に示すように、浮き台〈１〉とシート〈４〉を分離型とし、マジックテープなどでつけはずしができるようにする。また、布の裏に吸着性を持たせた素材等を使用したシート〈４〉を利用することが考えられる。つけかえたりして浮き台〈１〉とのカラーバリエーションの変化を楽しみ気分転換することができる。また、浮き台〈１〉の左右にボトルの大きさに対応できる穴によるボトル入れ〈１０〉〈１０〉を設ける。これは長湯時の水分補給のため便利である。また本を読んでいて書き込みやメモなどしたい時のために鉛筆をコップなどを入れたものをボトル入れ〈１０〉〈１０〉にはめこめるようにしたものである。
実施例〈ロ〉図４に示すように、一体化した多角形の浮き台〈１〉を桧などの材を用いたものにすると、その香りをたのしみ癒される。また、成樹脂などのものにすることが考えられる。成樹脂のものにすると丈夫で変化に富んだ形のものが大量生産できる。
実施例〈ハ〉図５、図６に示すように、浮き台〈１〉と傾斜板〈１１〉を分離型にすることが考えられる。プラスチックの浮き台〈１〉を洗面器として利用できるようにしたもので、傾斜板に桧などの別素材のものを活用する事ができる。
【図面の簡単な説明】
【０００８】
【図１】  本発明の平面図
【図２】  本発明の使用斜視図
【図３】  本発明の実施例〈イ〉の平面図
【図４】  本発明の実施例〈ロ〉の斜視図
【図５】  本発明の実施例〈ハ〉の平面図
【図６】  本発明の実施例〈ハ〉のＡ−Ａの断面図
【符号の説明】
【０００９】  １  浮き台
２  土手
３  傾斜面
４  シート
５  マジックテープ
６  ページ押さえ
７  凹み部
８  手置きスペース
９  滑り止め
１０  ボトル入れ
１１  傾斜板
【図１】
2006212394.tif 000003
【図２】
2006212394.tif 000004
【図３】
2006212394.tif 000005
【図４】
2006212394.tif 000006
【図５】
2006212394.tif 000007
【図６】
2006212394.tif 000008
(57)【要約】【課題】葬儀に際して遺族の最後の別れの葬送方法としては、その遺品や供花、写仏、写経等を棺の中に各々の想いとして供える小品があったが、導師様、遺族らが共同で御遺体に対する想いを一つにする供え物がなかった。より多くの遺族の想いを一つにして、死者を一緒に荘厳し弔うことが目的である。【解決手段】透き通る布又は紙２に図柄や文字３を描くことにより納棺荘厳布１を得る。【選択図】      図１
2006212392.tif 000002
【特許請求の範囲】
【請求項１】
透き通る布や紙に図柄や文字を描いたことを特徴とする納棺荘厳布。
【発明の詳細な説明】
【技術分野】
【０００１】  この発明は、葬儀の際の御遺体の大部分を覆って供養する為に紗、絽、絵絹、オーガンジー等の透き通る布又は紙に描いた図像が、御遺体と一体感を持つように描いた宗教絵画に関するものである。
【背景技術】
【０００２】  従来より葬儀に際して遺族の最後の別れの葬送方法としては、その遺品や供花、写仏、写経等を棺の中に各々の想いとして供える小品があったが、導師様、遺族らが共同で御遺体に対する想いを一つにする供え物がなかった。
【発明の開示】
【発明が解決しようとする課題】
【０００３】  技術至上合理主義の現代社会においては、葬送儀礼が簡略化され形式化された式次第にのみ人々の心が奪われ、導師様と遺族の心が一つになって死者を弔ってきた本来の古くからの宗教心やしきたりが希薄になり、ひいては生命の尊厳性までが合理化の動きの中で失われてきている原因の一つとなっている。
【課題を解決する為の手段】
【０００４】  本発明の納棺荘厳布は、御遺体が透き通って見える布又は紙に図柄や文字を描いたことを特徴とする。
【０００５】  本発明で云う布又は紙とは、御遺体から１０ｃｍ以上離しても御遺体を透かして見える素材のことを指す。本発明の納棺荘厳布を使用する場合、御遺体と納棺荘厳布の間に花等が介在することがあり、１０ｃｍ位距離があっても御遺体が透けて見える布又は紙を用いる。この素材としては、紗、絽、絵絹、オーガンジー等の布又は和紙等の紙がある。
御遺体がより良い来世に旅立たれるよう、図像の題材には仏、菩薩、祖師、聖者、称名、唱題、経文や文字を描く。
お通夜を含め葬儀中、導師様の手で御遺体に、祭壇前に、或は棺の上に納棺荘厳布を覆って頂く。導師様の添え書きを納棺荘厳布にして頂く。納棺後そのまま荼毘に付す。特に導師様主導の作法は宗教を問わず、信仰心ある人生観を芽生えさせることになる。
【発明の効果】
【０００６】  本発明の納棺荘厳布の図は、生前死者の信仰していた宗教観を体現する図像を用いる。描かれた図像の宗教観は死者と宗教者、遺族三者の一体感を呼び起こし、来世への旅立ちをより荘厳化することとなり、生命の尊厳性を高めることになる。
古来、万人は宗教の別なく死者がより良い来世に導かれるようにと願ってきた。
その為、より良い来性をイメージさせる絵を描いて御遺体と一体感をもって見える様に透き通った布で覆うので、見送る人々により深く御遺体が守られている安心感を覚えることが出来る。死者の人生の終末を遺族参列者多くのものが一緒に関わることが出来、共同作法により荘厳化すればするほど、死者の尊厳を高め、技術至上合理化社会の中、軽視されがちな生命の尊さを再認識させるのに役立つ。
【発明を実施するための最良の形態】
【実施例】
【０００７】  本発明の一例を図面を用いて示す。大きさは巾５０ｃｍ長さ１１０ｃｍの紗の生地の布である。
描かれた図１は日本に鎌倉時代以降、民間信仰として広く知られた十三仏画像である。各々の仏、菩薩が死者の三十三回忌までの守りとして配当されており、寺院の住職が葬儀の際や初七日から三十三回忌までの法事のしきたりの教化として使用されている。葬儀の際、住職がお通夜の御遺体を読経と共にこの納棺布で覆い、本葬の際には祭壇前に花輪と共に掲げ、棺を閉じる前に遺族は遺品や花を御遺体の脇に納める。その後に遺族や参列者が掲げてあった納棺荘厳布を全員で持ち御遺体を覆って、そのまま蓋をする。遺族の方々は死者が仏、菩薩に囲まれて荼毘に付され浄土に旅立つことが出来たと安堵し、死者の尊厳性を護れたことに満足感を抱いてもらっています。
【図面の簡単な説明】
【０００８】
【図１】本発明の一例を表面から見た説明図
【図２】本発明の一例を裏面から見た説明図
【符号の説明】
【０００９】  １．本発明の納棺荘厳布。
２．布又は紙。
３．図柄。
【図１】
2006212392.tif 000003
【図２】
2006212392.tif 000004
(57)【要約】【課題】  家庭用で簡単に短時間で撹拌ができる撹拌器具を提供する。【解決手段】  本体容器（１）の中央に薄板（２）を設け、その上部に蓋（３）を装着したことを特徴とする。【選択図】    図１
2006212396.tif 000002
【特許請求の範囲】
【請求項１】
家庭で簡単に必要分量の撹拌作業を行うため、本体は筒型容器でその中央に模様の穴が多数開いた薄板を組合わせ、中身が漏れないように蓋を上部に設けた撹拌器具。
【請求項２】
薄板は模様型の穴を多数模った構造を設けた請求項１記載の撹拌器具。
【発明の詳細な説明】
【技術分野】
【０００１】  本発明は、一般家庭での撹拌作業の簡素化を図った撹拌器具に関する。
【背景技術】
【０００２】  家庭用で簡単に必要量の撹拌が短時間できる撹拌器具が必要だった。
【発明の開示】
【発明が解決しようとする課題】
【０００３】  従来の家庭用撹拌器具では作業に時間が掛かりすぎる欠点があった。
本発明は、その欠点を除くために考案した。
【課題を解決するための手段】
【０００４】  模様が多数型取られた薄板を筒状の容器中央に組合わせ蓋をする事により、容器全体が撹拌作業を行うため短時間での撹拌作業を可能にした。
【発明の効果】
【０００５】  段取り時間がなく短時間で撹拌でき作業効率が向上した。
電源を用いず撹拌部が内側であるため清潔で環境性が向上した。
薄板全面で原材料をとらえるので、肌理の細かい撹拌ができ品質が向上した。
【発明を実施するための最良の形態】
【０００６】  本体容器に原材料を挿入し模様型の穴を多数模った薄板を容器中央に組合わせ上部に蓋を設け本体は横置きにし容器中央を手で持ち軽く回転及び左右に振る運動を行うことで短時間で撹拌作業を行う。
なお、本発明の本体の材質は硬度が高く柔軟性のあるものに限る。
【図面の簡単な説明】
【０００７】
【図１】本発明の実施形態を示す家庭用撹拌器具の部分断面図である。
【図２】本発明の斜視図である。
【符号の説明】
【０００８】  １  本体容器
２  模様型薄板
３  蓋
【図１】
2006212396.tif 000003
【図２】
2006212396.tif 000004